(57)【特許請求の範囲】
【請求項１】
Ｘ方向及びＹ方向に二次元配列された複数の画像を表示する表示装置において、
ポインティングされた位置のＸ座標またはＹ座標に基づき、該ポインティングされた位置を含む隣接する複数の画像を行単位あるいは列単位に拡大表示する拡大表示手段と、
前記複数の画像の管理情報を記憶する管理情報記憶手段と、
前記管理情報記憶手段に記憶された管理情報に基づく並び順で、前記複数の画像を二次元配列させるレイアウト処理手段と、
前記二次元配列の各行または各列に対応する位置に、該行または列に含まれる複数の画像に対応するインデックスを表示するインデックス表示手段と
を備え、
前記拡大表示手段は、拡大した行または列の端に表示された画像がさらにポインティングされたとき、該画像が中央方向に移動するように該行または列の画像をスライドさせて表示することを特徴とする表示装置。
【請求項２】
前記拡大表示手段は、前記ポインティングされた位置の座標のＸ座標またはＹ座標に位置する複数の画像を所定のサイズに拡大するとともに、該複数の画像に対してＸ方向またはＹ方向に隣接する複数の画像を前記所定のサイズを超えないサイズに拡大することを特徴とする請求項１に記載の表示装置。
【請求項３】
前記拡大表示手段は、前記ポインティングされた位置の座標を含む画像が属する行または列の画像を所定のサイズに拡大し、該行または列に隣接するその他の行または列の画像を該所定のサイズを超えない中間サイズに拡大し、拡大するサイズの小さい順に重畳させて表示する
ことを特徴とする請求項１に記載の表示装置。
【請求項４】
Ｘ方向及びＹ方向に二次元配列された複数の画像を表示する表示制御方法において、
前記複数の画像の管理情報に基づく並び順で、前記複数の画像を二次元配列させるレイアウト処理ステップと、
前記二次元配列の各行または各列に対応する位置に、該行または列に含まれる複数の画像に対応するインデックスを表示するインデックス表示ステップと、
ポインティングされた位置のＸ座標またはＹ座標に基づき、該ポインティングされた位置を含む隣接する複数の画像を行単位あるいは列単位に拡大表示する拡大表示ステップと、
拡大表示した行または列の端に表示された画像がさらにポインティングされたとき、該画像が中央方向に移動するように該行または列の画像をスライドさせて表示するステップと、
を含むことを特徴とする表示制御方法。
【請求項５】
Ｘ方向及びＹ方向に二次元配列された複数の画像を表示する表示制御プログラムにおいて、
前記複数の画像の管理情報に基づく並び順で、前記複数の画像を二次元配列させるレイアウト処理手順と、
前記二次元配列の各行または各列に対応する位置に、該行または列に含まれる複数の画像に対応するインデックスを表示するインデックス表示手順と、
ポインティングされた位置のＸ座標またはＹ座標に基づき、該ポインティングされた位置を含む隣接する複数の画像を行単位あるいは列単位に拡大表示する拡大表示手順と、
拡大表示した行または列の端に表示された画像がさらにポインティングされたとき、該画像が中央方向に移動するように該行または列の画像をスライドさせて表示する手順と、
をコンピュータに実行させることを特徴とする表示制御プログラム。
【発明の詳細な説明】
【技術分野】
【０００１】
本発明は、表示装置、表示制御方法および表示制御プログラムに関する。
【背景技術】
【０００２】
従来、携帯電話やＰＣ（Personal Computer）等の表示装置においては、自装置に保存された静止画像や動画像などのコンテンツをサムネイル画像を用いて一覧表示する場合がある。サムネイル画像とは、例えば静止画像の場合には、画素数を間引いてサイズを縮小させた画像を示す。
【０００３】
近年、記憶容量の増加に伴い、表示装置に保存可能なコンテンツの数は増加傾向にある。表示装置に大量のコンテンツが保存されている場合、サムネイル画像によるコンテンツの一覧は、複数のページに及ぶことがある。このような場合、ユーザが目的とするコンテンツに辿り着くまでに複数回のページ切替え操作が必要となる場合もあり、操作性の悪化の原因となり得る。
【０００４】
そこで、ページ切替え操作の操作数を減らすために、例えば、各サムネイル画像を縮小して一画面に表示可能なコンテンツ数を増やすことが考えられる。
【先行技術文献】
【特許文献】
【０００５】
【特許文献１】特開２００６−２６８２９５号公報
【発明の概要】
【発明が解決しようとする課題】
【０００６】
しかしながら、サムネイル画像を小さくして一画面に表示可能なコンテンツ数を増やした場合、サムネイル画像の視認性が悪くなるため、ユーザによるコンテンツの選択が困難となるおそれがある。
【０００７】
開示の技術は、上記に鑑みてなされたものであって、一画面内に表示されるコンテンツの数が大量となった場合でも、ユーザによるコンテンツの選択容易性を維持することのできる表示装置、表示制御方法および表示制御プログラムを提供することを目的とする。
【課題を解決するための手段】
【０００８】
本願の開示する表示装置は、一つの態様において、Ｘ方向及びＹ方向に二次元配列された複数の画像を表示する表示装置において、ポインティングされた位置の座標に基づき、該ポインティングされた位置を含む所定範囲内に位置する画像を拡大表示する拡大表示手段を備える。
【発明の効果】
【０００９】
本願の開示する表示装置、表示制御方法および表示制御プログラムの一つの態様によれば、一画面内に表示されるコンテンツの数が大量となった場合でも、ユーザによるコンテンツの選択容易性を維持することができるという効果を奏する。
【図面の簡単な説明】
【００１０】
【図１−１】図１−１は、ＬＣＤに表示される一覧表示画面の一例を示す図である。
【図１−２】図１−２は、表示対象となる画像ファイルが所定数より多い場合に、各画像ファイルに対応する枠画像のみが表示される様子を示す図である。
【図２】図２は、一覧表示画面において、ユーザがタッチした行およびその周囲の行に属するアイコン画像が拡大される様子を説明するための図である。
【図３】図３は、ユーザがタッチパネルをＹ方向になぞった場合に、拡大表示されるアイコン画像が切り替わる様子を説明するための図である。
【図４】図４は、ユーザがタッチパネルをＸ方向になぞった場合に、拡大表示されたアイコン画像がＸ方向にスクロールする様子を説明するための図である。
【図５】図５は、実施例１にかかる携帯端末装置の構成を示すブロック図である。
【図６】図６は、画像ファイル管理情報の一例を示す図である。
【図７】図７は、ファイル構成を説明するための図である。
【図８】図８は、一覧表示領域において規定される座標を示す図である。
【図９】図９は、拡大表示されたアイコン画像の判定領域を説明するための図である。
【図１０】図１０は、実施例１にかかる制御部の処理手順を示すフローチャートである。
【図１１】図１１は、一覧表示処理の処理手順を示すフローチャートである。
【図１２】図１２は、拡大表示処理の処理手順を示すフローチャートである。
【図１３】図１３は、一覧表示画面において、ユーザがタッチした位置に対応するアイコン画像のみを最も大きく拡大する場合について説明するための図である。
【図１４】図１４は、ユーザがタッチパネルを斜め方向になぞった場合に、拡大表示されるアイコン画像が切り替わる様子を説明するための図である。
【図１５】図１５は、実施例２にかかる制御部の処理手順を示すフローチャートである。
【図１６】図１６は、一覧表示画面において、ユーザがタッチした位置およびその周囲に位置する複数のアイコン画像を最も大きく拡大する場合について説明するための図である。
【図１７】図１７は、ユーザがタッチパネルをＸ方向になぞった場合に、拡大表示されるアイコン画像が切り替わる様子を説明するための図である。
【図１８】図１８は、表示制御プログラムを実行するコンピュータを示すブロック図である。
【発明を実施するための形態】
【００１１】
以下に、本願の開示する表示装置、表示制御方法および表示制御プログラムの実施例を図面に基づいて詳細に説明する。なお、以下では、表示装置の一例として、携帯端末装置を用いて説明する。携帯端末装置は、携帯電話、ＰＨＳ(Personal Handyphone System)、ＰＤＡ(Personal Digital Assistant)、通信機能を備えた携帯型パーソナルコンピュータなどを含む。また、本実施例では、一覧表示の対象となるコンテンツの一例として、静止画像ファイル（以下、単に「画像ファイル」とする）を用いて説明する。ただし、この実施例によりこの発明が限定されるものではない。
【実施例１】
【００１２】
先ず、本実施例にかかる表示制御方法について図面を参照して説明する。図１−１は、ＬＣＤ（Liquid Crystal Display）に表示される一覧表示画面の一例を示す図であり、図１−２は、表示対象となる画像ファイルが所定数より多い場合に、各画像ファイルに対応する枠画像のみが表示される様子を示す図である。また、図２は、一覧表示画面において、ユーザがタッチした行およびその周囲の行に属するアイコン画像が拡大される様子を説明するための図である。
【００１３】
本実施例にかかる携帯端末装置は、ユーザからの操作に応じて、所定のフォルダ内に格納された画像ファイルの一覧表示を行う。これにより、携帯端末装置に設けられたＬＣＤには、例えば、図１−１に示すような一覧表示画面が表示される。なお、本実施例にかかる携帯端末装置は、テンキーや操作キーの他にＬＣＤ上に設けられたタッチパネルを有しており、ユーザはこれらを用いて各種の操作を行う。
【００１４】
具体的には、図１−１に示すように、ＬＣＤ１６に表示される一覧表示画面は、装置情報表示領域１６１と、一覧表示領域１６２と、詳細情報表示領域１６３とを有し、一覧表示領域１６２に、各画像ファイルに対応するアイコン画像３が表示される。より具体的には、各アイコン画像３は、一覧表示領域１６２内において、Ｘ方向およびＹ方向に二次元配列されて表示される。例えば、図１−１において、一覧表示領域１６２には、所定のフォルダに格納された３１個の画像ファイルにそれぞれ対応するアイコン画像３が、一行に５個ずつ計７行に配列されて表示されている。ここで、図１−１に示すアイコン画像３は、各画像ファイルに基づき生成されるサムネイル画像である。
【００１５】
また、一覧表示領域１６２には、各行に対応してインデックス画像４が表示される。インデックス画像４は、ユーザが画像ファイルの選択を容易に行うことができるように設けられる画像であり、図１−１においては、各行に含まれる画像ファイルのタイトルの最初の文字を示している。なお、装置情報表示領域１６１には、電池アイコンや電波アイコンなどの自装置の状態等に関する情報が表示され、詳細情報表示領域１６３には、ユーザにより指定された画像ファイルの詳細情報が表示される。図１−１においては、ユーザによる画像ファイルの指定がなされていないため、詳細情報表示領域１６３に詳細情報は表示されていない。
【００１６】
ここで、本実施例にかかる携帯端末装置は、フォルダ内に格納されている画像ファイルの数の多少に関係なく、該フォルダ内の全ての画像ファイルを一画面内に表示する。すなわち、本実施例にかかる携帯端末装置は、所定のフォルダ内に大量の画像ファイルが格納されている場合には、各画像ファイルに対応するアイコン画像３を小さく表示することで、全てのアイコン画像３を一覧表示領域１６２内に一覧表示する。
【００１７】
例えば、携帯端末装置は、所定のフォルダ内に１００個の画像ファイルが格納されている場合には、図１−２に示すように、各画像ファイルにそれぞれ対応する１００個のアイコン画像３を一覧表示する。このように、フォルダ内の全ての画像ファイルを一画面内に表示することで、操作性の向上を図ることができる。すなわち、全ての画像ファイルが一画面内に表示されるため、ユーザは、フォルダ内の全体像を容易に把握することができ、しかも、ページ切替え操作を行うことなく目的とするコンテンツを選択することができる。
【００１８】
ただし、フォルダ内の画像ファイルを一画面内に全て表示することとすると、画像ファイルの数が大量である場合に、各画像ファイルに対応するアイコン画像３が、その内容が視認できないほど小さくなり、ユーザによるコンテンツの選択が困難となるおそれがある。例えば、図１−２に示すように１００個の画像ファイルを一覧表示した場合のアイコン画像３は、図１−１に示すように３１個の画像ファイルを一覧表示した場合のアイコン画像３と比較してかなり小さく表示されている。
【００１９】
そこで、本実施例にかかる携帯端末装置は、一覧表示領域１６２においてポインティングされた位置の座標に基づいて、該ポインティングされた位置を含む所定範囲内に位置するアイコン画像３を拡大表示する。具体的には、携帯端末装置は、一覧表示画面において、ＬＣＤ１６上に設けられたタッチパネルへのタッチ操作が行われた場合に、該タッチ操作（ポインティング）された位置のＹ座標に基づき、二次元配列された複数の画像を行単位で拡大表示する。
【００２０】
例えば、図１−２に示す状態において、Ｙ方向の上から５番目、Ｘ方向の左から３番目に配置されたアイコン画像３ａをユーザがタッチパネルを用いてポインティングしたとする。かかる場合、携帯端末装置は、図２に示すように、該アイコン画像３ａが属する行（Ｙ方向の上から５番目の行）に含まれる複数のアイコン画像３をまとめて拡大表示する。なお、かかる場合、詳細情報表示領域１６３には、ポインティングされた座標を含むアイコン画像３ａに対応する画像ファイルの詳細情報（例えば、タイトルや更新日時等）が表示される。
【００２１】
このように、本実施例では、ユーザによるタッチ操作が行われた場合に、ポインティングされた位置を含む所定範囲内に位置するアイコン画像３を拡大表示する。そのため、一覧表示の対象となる画像ファイルが大量に存在し、各画像ファイルに対応するアイコン画像３が一覧表示領域１６２において小さく表示されている場合であっても、ユーザは、目的とする画像ファイルを容易に探し出すことができる。
【００２２】
なお、本実施例では、ポインティングされた位置のＹ座標を含む行を所定のサイズに拡大するとともに、該行に隣接するその他の行を該所定のサイズを超えない中間サイズに拡大する。そして、本実施例では、拡大したアイコン画像３をサイズの小さい順に重畳させることにより、ユーザがポインティングした位置を頂点として、アイコン画像３があたかも立体的に隆起したかのような画面を表示することができる。
【００２３】
例えば、図２に示すように、ユーザがＹ方向の上から５番目の行をポインティングしたとする。かかる場合、携帯端末装置は、該５番目の行に含まれる複数のアイコン画像３を１０倍に拡大するとともに、該５番目の行の上下にそれぞれ位置する行（４番目の行および６番目の行）に含まれる複数のアイコン画像３を６倍に拡大する。さらに、携帯端末装置は、６倍に拡大した行の上下に位置する行（３番目の行および７番目の行）に含まれる複数のアイコン画像３も４倍に拡大する。そして、携帯端末装置は、４倍に拡大したアイコン画像３の上に６倍に拡大したアイコン画像３を重ね、さらに、６倍に拡大したアイコン画像３の上に１０倍に拡大したアイコン画像３を重ねて表示する。
【００２４】
また、本実施例では、ユーザがタッチパネルに触れた状態でポインティングした位置をずらした場合、ポインティングされた位置の変化に応じて、拡大表示されるアイコン画像３が切り替わる。図３は、ユーザがタッチパネルをＹ方向になぞった場合に、拡大表示されるアイコン画像３が切り替わる様子を説明するための図である。例えば、図２に示す状態において、ユーザが、ポインティングしている位置をＹ方向にずらしていき、最終的にＹ方向の上から８番目の行をポインティングした場合、携帯端末装置は、最も大きく拡大させる行を５番目の行から８番目の行まで順に切り替える。
【００２５】
また、本実施例では、アイコン画像３を行単位で拡大表示するため、拡大後において一覧表示領域１６２からはみ出てしまうアイコン画像３が存在する。そこで、本実施例では、最も大きく拡大されたアイコン画像３のうち、一覧表示領域１６２の端に位置するアイコン画像３がタッチ操作された場合に、最も大きく拡大されたアイコン画像３をＸ方向にスライドさせる。
【００２６】
例えば、図３に示す状態において、ユーザが、ポインティングしている位置をＸ方向にずらしていき、最終的に一覧表示領域１６２の右端に位置するアイコン画像３をポインティングしたとする。かかる場合、携帯端末装置は、ポインティングされている行に含まれるアイコン画像３をＸ方向にスライドさせる。これにより、携帯端末装置は、図４に示すように、図３に示す状態において表示されていなかった「画像８５」を一覧表示領域１６２に表示させることができる。
【００２７】
なお、本実施例では、フォルダ内に格納されている画像ファイルの数が所定数（例えば、５０個）以下の場合、図１−１に示すように、アイコン画像３として、サムネイル画像を表示する。一方、画像ファイル数が所定数よりも多い場合には、アイコン画像３として、図１−２に示すように、サムネイル画像ではなく、各画像ファイルに対応する枠画像を表示する。その理由は、一画面内に表示するアイコン画像３の数が大量となった場合、アイコン画像３としてサムネイル画像を表示したとしても、サムネイル画像が小さすぎて内容の把握が困難となるためである。また、一覧表示対象となる画像ファイル数が所定数よりも多い場合に、アイコン画像３として枠画像のみを表示することにより、一覧表示処理にかかる負荷を軽減することができる。その結果、本実施例にかかる携帯端末装置は、一覧表示対象となる画像ファイル数が大量である場合でも、一覧表示画面をＬＣＤ１６に短時間で表示することができる。
【００２８】
なお、携帯端末装置は、アイコン画像３として枠画像を表示している場合において、ユーザによるタッチ操作がなされた場合には、枠画像ではなくサムネイル画像を拡大後のアイコン画像３として表示する。
【００２９】
次に、本実施例にかかる携帯端末装置の構成について説明する。図５は、実施例１にかかる携帯端末装置の構成を示すブロック図である。なお、以下では、本実施例に密接に関連する箇所を中心に説明する。また、その他の箇所については、従来の携帯端末装置と同様であるため、その説明を省略または簡潔に行う。
【００３０】
図５に示すように、本実施例にかかる携帯端末装置１は、無線部１１と、操作部１２と、タッチパネル１３と、マイク１４と、スピーカ１５と、ＬＣＤ１６と、入出力制御ＩＦ部２０とを備える。また、携帯端末装置１は、記憶部３０と、制御部４０とを備える。
【００３１】
無線部１１は、アンテナを介して音声信号等の無線信号の送受信を行う。操作部１２は、ユーザからの各種の入力操作を受け付ける。操作部１２は、例えば、テンキーや操作キー、回転セレクタ、カーソルキー、十字キー、設定キー、完了キー、クリアキー、電源キーなどを含む。
【００３２】
タッチパネル１３は、ＬＣＤ１６上に設けられており、ユーザが指先等で触れた位置のＸ座標およびＹ座標を示す信号を後述するタッチパネル入力検出部４０２に出力する。なお、操作部１２およびタッチパネル１３は、所定の操作部の一例に相当する。
【００３３】
マイク１４は、通話時等に使用者の音声等を集音する集音部である。スピーカ１５は、例えば、着信があった場合や電子メールを受信した場合に、呼び出し音を出力する音声出力部である。ＬＣＤ１６は、文字や画像などを表示する表示部である。なお、表示部は、必ずしもＬＣＤである必要はなく、例えば、有機ＥＬディスプレイや電子ペーパディスプレイ等であってもよい。
【００３４】
入出力制御ＩＦ部２０は、無線部１１、操作部１２、タッチパネル１３、マイク１４、スピーカ１５、ＬＣＤ１６と制御部４０との間での各種情報のやり取りを制御するインタフェース部である。
【００３５】
記憶部３０は、制御部４０による各種処理の実行に必要なデータやプログラム等を格納する。特に、本実施例と密接に関連するものとして、記憶部３０は、設定情報記憶部３０１と、管理情報記憶部３０２と、画像ファイル記憶部３０３とを備える。設定情報記憶部３０１は、携帯端末装置１に関する各種の設定情報を記憶する。特に、本実施例にかかる設定情報記憶部３０１は、ソート情報を記憶する。ソート情報とは、画像ファイルを一覧表示する場合において各画像ファイルの並び順を決定するための情報であり、後述する画像ファイル管理情報に含まれる情報のうちどの情報に基づいて画像ファイルを並べるべきかを示す情報である。例えば、ソート情報は、画像ファイルをタイトル順や更新日時順あるいはファイルサイズ順に並べるべきことを示す。かかるソート情報はユーザにより設定される。
【００３６】
管理情報記憶部３０２は、画像ファイル管理情報を記憶する。画像ファイル管理情報とは、画像ファイル記憶部３０３に記憶される画像ファイルに関する情報である。図６に、画像ファイル管理情報の一例を示す。
【００３７】
図６に示すように、管理情報記憶部３０２は、画像ファイル管理情報として、「ＩＤ」と、「タイトル」と、「更新日時」と、「ファイルサイズ」と、「画像ファイルパス」とを互いに関連付けて記憶する。「ＩＤ」は、各画像ファイルに固有の識別番号である。「タイトル」は、画像ファイルのタイトルである。「更新日時」は、画像ファイルを取得または更新した日時である。「ファイルサイズ」とは、画像ファイルの容量である。「画像ファイルパス」とは、画像ファイル記憶部３０３における画像ファイルの格納位置を示す情報である。
【００３８】
例えば、管理情報記憶部３０２は、画像ファイル管理情報としてＩＤ「０１」、タイトル「ああああ」、更新日時「２００９／０１／０１  ０１：００：００」、ファイルサイズ「１００ＫＢ」及び画像ファイルパス「Folder A\File_1.jpg」を関連付けて記憶する。かかる画像ファイル管理情報は、２００９年１月１日１時００分００秒に取得または更新された１００ＫＢの画像ファイル「ああああ」が、「Folder A\File_1.jpg」に格納されていることを表している。このように、管理情報記憶部３０２は、画像ファイルの管理情報を記憶する管理情報記憶手段の一例に相当する。
【００３９】
画像ファイル記憶部３０３は、画像ファイルを記憶する。画像ファイルとは、静止画像の画像情報をデジタル化したデータであり、本実施例では、ＪＰＥＧ形式に圧縮された状態で画像ファイル記憶部３０３に記憶されている。
【００４０】
また、画像ファイル記憶部３０３は、画像ファイルを複数のフォルダに分割して記憶する。図７に、ファイル構成の一例を示す。
【００４１】
図７に示すように、画像ファイル記憶部３０３には、図６に示すＩＤ「０１」〜「ｎ」の画像ファイルが複数のフォルダに分割して記憶されている。例えば、「Folder A」には、「File_1.jpg」〜「File_100.jpg」の画像ファイル、すなわち、図６に示すＩＤ「０１」〜「１００」の画像ファイルが含まれる。同様に、「Folder B」には、「File_101.jpg」や「File_102.jpg」等の画像ファイル、すなわち、図６に示すＩＤ「１０１」や「１０２」等の画像ファイルが含まれる。同様に、「Folder N」には、「File_n.jpg」の画像ファイル、すなわち、図６に示すＩＤ「ｎ」の画像ファイル等が含まれる。
【００４２】
制御部４０は、携帯端末装置１を制御する制御部である。特に、本実施例と密接に関連するものとして、制御部４０は、操作制御部４０１と、タッチパネル入力検出部４０２と、画像表示制御部４０３と、画像レイアウト処理部４０４と、画像ファイル管理部４０５と、画像描写部４０６と、ＬＣＤ出力部４０７とを備える。
【００４３】
操作制御部４０１は、ユーザにより操作部１２への操作が行われた場合に、該操作に対応する処理の実行を該当する処理部に対して指示する。特に、操作制御部４０１は、ユーザによる一覧表示操作を操作部１２またはタッチパネル１３から取得した場合に、該操作が行われた旨を画像表示制御部４０３に通知する。一覧表示操作とは、例えば、画像ファイル記憶部３０３に記憶された複数のフォルダの中から１つのフォルダを選択する操作である。
【００４４】
また、操作制御部４０１は、ユーザによるソート情報の設定操作を操作部１２から取得した場合には、該設定操作に基づくソート情報を設定情報記憶部３０１に記憶する。例えば、操作制御部４０１は、ユーザによるソート情報の設定操作に基づき、画像ファイルをタイトル順に並べるべきことを示すソート情報を設定情報記憶部３０１に記憶する。なお、設定情報記憶部３０１は、ソート情報をフォルダごとに記憶してもよい。
【００４５】
タッチパネル入力検出部４０２は、タッチパネル１３における押下箇所の座標を検出する。具体的には、タッチパネル入力検出部４０２は、タッチパネル１３からの信号を取得した場合、該信号に基づき、ユーザが指定した位置のＸ座標およびＹ座標を特定する。そして、タッチパネル入力検出部４０２は、図１−１や図１−２のような一覧表示画面がＬＣＤ１６に表示されている場合に、特定したＸ座標およびＹ座標の情報（以下、「キー座標情報」という）を画像表示制御部４０３に通知する。
【００４６】
画像表示制御部４０３は、操作制御部４０１から一覧表示操作が行われた旨の通知を受けた場合、先ず、設定情報記憶部３０１からソート情報を取得する。そして、画像表示制御部４０３は、画像レイアウト処理部４０４に対して、ソート情報を受け渡すとともに、一覧表示操作により選択されたフォルダ内の画像ファイルの一覧表示を要求する。
【００４７】
また、画像表示制御部４０３は、タッチパネル入力検出部４０２からキー座標情報を取得した場合には、画像レイアウト処理部４０４に対して、キー座標情報を受け渡すとともに、画像ファイルに対応するアイコン画像３の拡大表示を要求する。
【００４８】
画像レイアウト処理部４０４は、画像表示制御部４０３から画像ファイルの一覧表示要求を受けた場合、画像ファイル管理部４０５に対して、一覧表示の対象となるフォルダに含まれる画像ファイルの画像ファイル管理情報の取得を要求する。例えば、一覧表示の対象となるフォルダが「Folder A」である場合、画像レイアウト処理部４０４は、画像ファイル管理部４０５に対して、「Folder A」に含まれる画像ファイルの画像ファイル管理情報の取得を要求する。
【００４９】
そして、画像レイアウト処理部４０４は、画像ファイル管理部４０５から画像ファイル管理情報を取得すると、該画像ファイル管理情報およびソート情報に基づき、レイアウト情報を生成する。レイアウト情報とは、アイコン画像３の一覧表示領域１６２上での配置場所や大きさ等を規定する情報である。具体的には、レイアウト情報には、一覧表示領域１６２上のどの座標にどのアイコン画像３をどのサイズで配置すべきかを示す情報と、インデックス画像４として表示すべき文字の内容に関する情報とが含まれる。
【００５０】
例えば、「Folder A」に含まれる画像ファイルの画像ファイル管理情報を取得した場合、画像レイアウト処理部４０４は、各画像ファイルに対応する１００個のアイコン画像３が全て表示されるように、アイコン画像３の配置場所およびサイズを決定する。続いて、画像レイアウト処理部４０４は、決定した各配置場所にどのアイコン画像３を配置させるかを、ソート情報に基づいて決定する。例えば、ソート情報が、画像ファイルをタイトル順に並べるべきことを示しているとする。かかる場合、画像レイアウト処理部４０４は、画像ファイルがタイトル順に配置されるように、一覧表示領域１６２における１番目の行の左端に位置する配置場所から順に、配置場所と画像ファイルパスとを対応付けていく。
【００５１】
また、画像レイアウト処理部４０４は、各行に含まれる画像ファイルのタイトルの最初の文字に基づき、該行に対応するインデックス画像４として表示すべき文字の内容を決定する。例えば、１番目の行に配置されることが決定された複数の画像ファイルのうち、左端の配置場所に対応付けられた画像ファイルのタイトルの最初の文字が「あ」であり、右端の配置場所に対応付けられた画像ファイルのタイトルの最初の文字が「お」であるとする。かかる場合、画像レイアウト処理部４０４は、１番目の行に対応するインデックス画像４として「あ〜お」の文字を含んだ画像を表示すべきことを決定する。
【００５２】
また、画像レイアウト処理部４０４は、各アイコン画像３に対応する判定領域を設定する。判定領域とは、アイコン画像３がタッチ操作されたか否かを判定するための領域である。ここで、本実施例において設定される判定領域について図８を用いて説明する。図８は、一覧表示領域において規定される座標を示す図である。
【００５３】
図８に示すように、一覧表示領域１６２には、Ｘ＝０〜９２５，Ｙ＝０〜１０５０の範囲の座標が規定されている。そして、画像レイアウト処理部４０４は、各アイコン画像３の画像領域（配置場所のサイズ）と同一の領域を該アイコン画像３に対応する判定領域として設定する。例えば、Ｘ＝１７５〜２２５，Ｙ＝５５０〜６００の範囲に配置されるアイコン画像３ａに対応する判定領域は、Ｘ＝１７５〜２２５，Ｙ＝５５０〜６００の範囲に設定される。なお、判定領域は、必ずしもアイコン画像３の画像領域と同一である必要はなく、アイコン画像３の画像領域より大きくても小さくてもよい。画像レイアウト処理部４０４は、ポインティングされた位置の座標が判定領域内に含まれる場合に、該判定領域に対応するアイコン画像３がタッチ操作されたと判定する。
【００５４】
画像レイアウト処理部４０４は、レイアウト情報を生成すると、画像描写部４０６に対して、生成したレイアウト情報を受け渡すとともに、一覧表示を要求する。なお、画像レイアウト処理部４０４は、生成したレイアウト情報や判定領域の設定情報を所定の記憶領域に記憶しておく。
【００５５】
また、画像レイアウト処理部４０４は、画像表示制御部４０３からキー座標情報を取得すると、該キー座標情報に基づき、レイアウト変更情報を生成する。レイアウト変更情報には、レイアウト情報と同様に、一覧表示領域１６２のどの座標にどのアイコン画像３をどのサイズで配置すべきかを示す情報と、インデックス画像４として表示すべき文字の内容に関する情報とが含まれる。
【００５６】
具体的には、画像レイアウト処理部４０４は、画像表示制御部４０３から取得したキー座標情報に基づき、アイコン画像３へのタッチ操作がなされたか否かを判定する。すなわち、画像レイアウト処理部４０４は、ポインティングされた座標（キー座標）が何れかのアイコン画像３の判定領域に含まれているか否かを判定する。そして、キー座標が何れかのアイコン画像３の判定領域に含まれる場合、画像レイアウト処理部４０４は、レイアウト情報に基づき、レイアウト変更情報を生成する。具体的には、画像レイアウト処理部４０４は、レイアウト情報により決定されている状態から、キー座標を含むアイコン画像３が属する行および該行の周囲に位置する行に含まれる複数のアイコン画像３の配置場所や大きさを変更したレイアウト変更情報を生成する。
【００５７】
例えば、一覧表示領域１６２においてＹ方向の上から５番目の行に含まれるアイコン画像３がタッチ操作されたと判定した場合、画像レイアウト処理部４０４は、該５番目の行に含まれる複数のアイコン画像３の配置場所およびサイズを変更する。具体的には、画像レイアウト処理部４０４は、５番目の行に含まれるアイコン画像３に対応する配置場所のサイズを１０倍に拡大するとともに、拡大した配置場所の新たな座標を決定する。
【００５８】
また、画像レイアウト処理部４０４は、５番目の行の上下にそれぞれ位置する行（上から４番目および６番目の行）に含まれる複数のアイコン画像３に対応する配置場所のサイズを６倍に拡大する。同様に、画像レイアウト処理部４０４は、６倍に拡大した行の上下に位置する行（上から３番目および７番目の行）に含まれる複数のアイコン画像３に対応する配置場所のサイズを４倍に拡大する。
【００５９】
そして、画像レイアウト処理部４０４は、拡大した各配置場所にどのアイコン画像３を表示させるかを決定する。例えば、画像レイアウト処理部４０４は、ポインティングされたアイコン画像３が、該ポインティングされた座標を含む配置場所に表示されるように各アイコン画像３の配置を決定する。すなわち、ポインティングされたアイコン画像３が「画像５２」である場合、画像レイアウト処理部４０４は、図２に示すように、ポインティングした座標を含む配置場所と「画像５２」の画像ファイルパスとを対応付ける。
【００６０】
また、画像レイアウト処理部４０４は、配置場所のサイズを変更すると、判定領域の再設定を行う。図９は、拡大表示されたアイコン画像３の判定領域を説明するための図である。同図に示すように、画像レイアウト処理部４０４は、最も大きく拡大されたアイコン画像３に対応する判定領域を、一覧表示領域１６２のＹ方向において隣接する他のアイコン画像３の判定領域と重ならない範囲で設定する。
【００６１】
例えば、図９に示すように、一覧表示領域１６２の上から８番目の行に含まれるアイコン画像３の配置場所５ａ〜５ｅのサイズが最も大きく拡大された場合において、配置場所５ｂの領域が、Ｘ＝１００〜３００，Ｙ＝１５０〜４００の範囲で設定されているとする。また、一覧表示領域１６２の上から７番目の行に含まれるアイコン画像３に対応する判定領域のＹ座標の下限がＹ＝３５０であり、上から９番目の行に含まれるアイコン画像３に対応する判定領域のＹ座標の上限がＹ＝２００であるとする。かかる場合、配置場所５ｂの判定領域は、Ｘ＝１００〜３００，Ｙ＝２００〜３５０の範囲で設定される。なお、本実施例において、判定領域の再設定は、最も大きく拡大されるアイコン画像３についてのみ行われる。すなわち、中間サイズに拡大されるアイコン画像３の判定領域は、拡大前のアイコン画像３の判定領域のままである。
【００６２】
また、画像レイアウト処理部４０４は、配置場所５ａ〜５ｅのうち、一覧表示領域１６２の両端に位置する配置場所５ａ，５ｅに対応付けてそれぞれスライド操作領域６ａ，６ｂを設定する。スライド操作領域６ａ，６ｂも同様に、Ｙ方向において隣接する他のアイコン画像３の判定領域と重ならない範囲で設定される。例えば、配置場所５ａの領域が、Ｘ＝０〜５０，Ｙ＝１５０〜４００の範囲で設定されている場合、該配置場所５ａに対応するスライド操作領域６ａは、Ｘ＝０〜５０，Ｙ＝２００〜３５０の範囲で設定される。また、配置場所５ｅの領域が、Ｘ＝８５０〜９００，Ｙ＝１５０〜４００の範囲で設定されている場合、該配置場所５ｅに対応するスライド操作領域６ｂは、Ｘ＝８５０〜９００，Ｙ＝２００〜３５０の範囲で設定される。
【００６３】
そして、画像レイアウト処理部４０４は、最も大きく拡大されたアイコン画像３のうち、一覧表示領域１６２の端に位置するアイコン画像３のタッチ操作が行われた場合、各配置場所５ａ〜５ｅに配置させるアイコン画像３の変更を行なう。すなわち、画像レイアウト処理部４０４は、キー座標情報に基づき、スライド操作領域６ａ，６ｂがポインティングされたと判定した場合、各配置場所５ａ〜５ｅにそれぞれ対応付けられた画像ファイルパスを変更する。
【００６４】
例えば、配置場所５ａ〜５ｅにそれぞれ「画像８１」〜「画像８５」の画像ファイルパスが対応付けられている場合において、スライド操作領域６ｂがポインティングされたとする。かかる場合、画像レイアウト処理部４０４は、配置場所５ａ〜５ｅにそれぞれ対応付けられた画像ファイルパスをソート情報に基づく並び順に１つずつずらし、各配置場所５ａ〜５ｅと「画像８２」〜「画像８６」とをそれぞれ対応付ける。
【００６５】
画像レイアウト処理部４０４は、レイアウト変更情報を生成すると、画像描写部４０６に対して、生成したレイアウト情報を受け渡すとともに、拡大表示を要求する。なお、画像レイアウト処理部４０４は、レイアウト変更情報とともに、ポインティングされた座標に位置するアイコン画像３に対応する画像ファイルの詳細情報を、詳細情報表示領域１６３に表示すべき情報として画像描写部４０６へ受け渡す。また、画像レイアウト処理部４０４は、生成したレイアウト変更情報、判定領域やスライド操作領域の設定情報を所定の記憶領域に記憶する。
【００６６】
画像ファイル管理部４０５は、画像レイアウト処理部４０４から画像ファイル管理情報の取得要求を受けた場合、一覧表示の対象となるフォルダに含まれる画像ファイルの画像ファイル管理情報を管理情報記憶部３０２から取得する。例えば、「Folder A」に含まれる画像ファイルの画像ファイル管理情報の取得要求を受けた場合、画像ファイル管理部４０５は、ＩＤ「０１」〜「１００」に対応する画像ファイル管理情報を管理情報記憶部３０２から取得する。そして、画像ファイル管理部４０５は、取得した画像ファイル管理情報を画像レイアウト処理部４０４に返却する。
【００６７】
なお、画像ファイル管理部４０５は、例えば、無線部１１から入出力制御ＩＦ部２０を介して新規の画像ファイルを取得した場合、該画像ファイルの画像ファイル情報を管理情報記憶部３０２に記憶するとともに、実データを画像ファイル記憶部３０３に記憶する。
【００６８】
画像描写部４０６は、画像レイアウト処理部４０４からレイアウト情報とともに一覧表示要求を受けると、先ず、レイアウト情報に含まれる画像ファイルパスに基づいて、一覧表示の対象となる画像ファイルを画像ファイル記憶部３０３から読出す。そして、画像描写部４０６は、読出した画像ファイルのデコードを行うとともに該画像ファイルに対応するアイコン画像３を生成する。具体的には、画像描写部４０６は、ＪＰＥＧ形式の画像ファイルをビットマップに展開するとともに、レイアウト情報に基づく大きさに加工したサムネイル画像を生成する。なお、画像描写部４０６は、一覧表示の対象となる画像ファイルの数が所定数よりも多い場合には、かかる処理を行わず、各画像ファイルに対応するアイコン画像３として枠画像を生成する。また、画像描写部４０６は、レイアウト情報に含まれるインデックス画像４に関する情報に基づき、インデックス画像４を生成する。
【００６９】
また、画像描写部４０６は、生成したアイコン画像３およびインデックス画像４をレイアウト情報に基づく並び順で一覧表示領域１６２に並べた一覧表示画像データを生成する。ここで、インデックス画像４は、二次元配列の各行に対応する位置に配置される。そして、画像描写部４０６は、生成した一覧表示画像データをＬＣＤ出力部４０７に受け渡し、画像出力を要求する。
【００７０】
また、画像描写部４０６は、画像レイアウト処理部４０４からレイアウト変更情報とともに拡大表示要求を受けると、先ず、レイアウト変更情報に含まれる画像ファイルパスに基づいて、一覧表示の対象となる画像ファイルを画像ファイル記憶部３０３から読出す。そして、画像描写部４０６は、読出した画像ファイルのデコードを行うとともに該画像ファイルに対応するアイコン画像３を生成する。
【００７１】
具体的には、画像描写部４０６は、ＪＰＥＧ形式の画像ファイルをビットマップに展開するとともに、レイアウト変更情報に基づく大きさに加工したサムネイル画像を生成する。例えば、画像描写部４０６は、１０倍に拡大された配置場所に配置されることが決定されている画像ファイルに対応するアイコン画像３（サムネイル画像）を拡大前のアイコン画像３と比較して１０倍の大きさとなるように生成する。同様に、画像描写部４０６は、６倍に拡大された配置場所に配置されるアイコン画像３を拡大前のアイコン画像３と比較して６倍の大きさで生成し、４倍に拡大された配置場所に配置されるアイコン画像３を拡大前のアイコン画像３と比較して４倍の大きさで生成する。
【００７２】
そして、画像描写部４０６は、生成したアイコン画像３およびインデックス画像４をレイアウト変更情報に基づく並び順で一覧表示領域１６２に並べた一覧表示画像データを生成する。かかる場合、画像レイアウト処理部４０４は、４倍に拡大したアイコン画像３の上に６倍に拡大したアイコン画像３を重畳させ、さらに、６倍に拡大したアイコン画像３の上に１０倍に拡大したアイコン画像３を重畳させる。そして、画像描写部４０６は、生成した一覧表示画像データをＬＣＤ出力部４０７に受け渡し、画像出力を要求する。なお、画像描写部４０６は、一覧表示画像データを生成する場合、画像レイアウト処理部４０４から取得した画像ファイルの詳細情報を詳細情報表示領域１６３に配置させる。
【００７３】
ＬＣＤ出力部４０７は、画像描写部４０６から取得した一覧表示画像データに基づく一覧表示画像をＬＣＤ１６に出力する。
【００７４】
このように、本実施例では、ポインティングされた座標のＹ座標に位置する複数のアイコン画像３を所定のサイズに拡大するとともに、該所定のサイズに拡大したアイコン画像３の周囲に位置するその他のアイコン画像３を中間サイズに拡大する。そして、本実施例では、拡大したアイコン画像３をサイズの小さい順に重畳させることにより、図２に示すように、ユーザがポインティングした位置を中心として、アイコン画像３があたかも立体的に隆起したかのような画面を表示することができる。
【００７５】
また、ユーザがタッチパネル１３にタッチした状態で、ポインティングした位置をＹ方向にずらす操作を行った場合には、ポインティングされた座標のＹ座標を含む行が順次変わるため、これに伴い、図３に示すように、拡大表示されるアイコン画像３が切り替わる。
【００７６】
さらに、最も大きく拡大されたアイコン画像３のうち、一覧表示領域１６２の両端に位置するアイコン画像３がタッチされた場合には、最も大きいサイズに設定された配置場所にそれぞれ対応する画像ファイルパスが画像レイアウト処理部４０４により変更される。これにより、図４に示すように、一覧表示領域１６２からはみ出たアイコン画像３をスライドさせて一覧表示領域１６２内に表示させることができる。
【００７７】
次に、本実施例にかかる携帯端末装置１の具体的動作について説明する。図１０は、本実施例にかかる制御部４０の処理手順を示すフローチャートである。なお、図１０においては、制御部４０が実行する処理手順のうち、画像ファイルの一覧表示に関する処理手順のみを示す。
【００７８】
図１０に示すように、操作制御部４０１またはタッチパネル入力検出部４０２が画像ファイルの一覧表示操作を操作部１２またはタッチパネル１３から取得すると（ステップＳ１０１）、制御部４０は、一覧表示処理を実行する（ステップＳ１０２）。かかる一覧表示処理は、図１１に示す処理であり、後述する。
【００７９】
一覧表示処理を終えると、画像レイアウト処理部４０４は、アイコン画像３へのタッチ操作がなされたか否かを判定する（ステップＳ１０３）。具体的には、画像レイアウト処理部４０４は、画像表示制御部４０３から取得したキー座標が、一覧表示領域１６２上の何れかのアイコン画像３に対応する判定領域に含まれるか否かを判定する。そして、画像レイアウト処理部４０４は、キー座標が、一覧表示領域１６２上の何れかのアイコン画像３に対応する判定領域に含まれる場合に、該判定領域に対応するアイコン画像３へのタッチ操作がなされたと判定する。
【００８０】
かかる処理において、アイコン画像３へのタッチ操作がなされたと判定した場合（ステップＳ１０３肯定）、制御部４０は、拡大表示処理を実行する（ステップＳ１０４）。かかる拡大表示処理は、図１２に示す処理であり、後述する。
【００８１】
拡大表示処理を終えると、画像レイアウト処理部４０４は、最も大きく拡大されたアイコン画像３のうち、一覧表示領域１６２の端に位置するアイコン画像３がタッチ操作されたか否かを判定する（ステップＳ１０５）。具体的には、画像レイアウト処理部４０４は、画像表示制御部４０３から取得したキー座標情報に基づき、ポインティングされた座標がスライド操作領域６ａ，６ｂに含まれるか否かを判定する。かかる処理において、最も大きく拡大されたアイコン画像３のうち、一覧表示領域１６２の端に位置するアイコン画像３がタッチ操作されたと判定した場合（ステップＳ１０５肯定）、制御部４０は、スライド処理を実行する（ステップＳ１０６）。
【００８２】
スライド処理を開始すると、画像レイアウト処理部４０４は、先ず、レイアウト変更情報を生成する。具体的には、画像レイアウト処理部４０４は、最も大きく拡大されたアイコン画像３の配置場所５ａ〜５ｅにそれぞれ対応する画像ファイルパスをソート情報に基づく並び順に１つずつずらす。レイアウト変更情報を生成すると、画像レイアウト処理部４０４は、画像描写部４０６に対して、生成したレイアウト情報を受け渡すとともに、拡大表示を要求する。
【００８３】
画像レイアウト処理部４０４からレイアウト変更情報とともに拡大表示要求を受けると、画像描写部４０６は、先ず、レイアウト変更情報に含まれる画像ファイルパスに基づいて、一覧表示の対象となる画像ファイルを画像ファイル記憶部３０３から読出す。そして、画像描写部４０６は、読出した画像ファイルのデコードを行うとともに該画像ファイルに対応するアイコン画像３を生成する。
【００８４】
続いて、画像描写部４０６は、生成したアイコン画像３およびインデックス画像４をレイアウト変更情報に基づく並び順で一覧表示領域１６２に並べた一覧表示画像データを生成する。続いて、画像描写部４０６は、生成した一覧表示画像データをＬＣＤ出力部４０７に受け渡し、画像出力を要求する。そして、ＬＣＤ出力部４０７は、画像描写部４０６から取得した一覧表示画像データに基づく一覧表示画像をＬＣＤ１６に出力する。
【００８５】
これにより、携帯端末装置１は、図４に示すように、最も大きく拡大されたアイコン画像３の表示位置をタイトル順に１つずつずらすことができる。すなわち、ユーザは、一覧表示領域１６２からはみ出たアイコン画像３をスライドさせて一覧表示領域１６２内に表示させることができる。
【００８６】
一方、一覧表示領域１６２の端に位置するアイコン画像３がタッチ操作されていないとき（ステップＳ１０５否定）、画像レイアウト処理部４０４は、隣接する行に属するアイコン画像３へのタッチ操作がなされたか否かを判定する（ステップＳ１０７）。具体的には、画像レイアウト処理部４０４は、キー座標が、最も大きく拡大されたアイコン画像３とＹ方向に隣接するアイコン画像３の判定領域に含まれるか否かを判定する。かかる処理において、隣接する行に属するアイコン画像３へのタッチ操作がなされたと判定した場合（ステップＳ１０７肯定）、制御部４０は、遷移処理を実行する（ステップＳ１０８）。
【００８７】
遷移処理は、ステップＳ１０４に示す拡大表示処理と同様の処理である。すなわち、画像レイアウト処理部４０４が、画像表示制御部４０３から取得したキー座標情報に基づき、レイアウト変更情報を生成し、該レイアウト変更情報に基づき、画像描写部４０６が一覧表示データを生成する。そして、ＬＣＤ出力部４０７が、一覧表示データに基づく一覧表示画面をＬＣＤ１６に表示する。これにより、隣接する行に属するアイコン画像３がタッチ操作された場合には、該タッチ操作されたアイコン画像３が属する行が最も大きく拡大され、その周囲に配置された行が中間サイズに拡大される。
【００８８】
ステップＳ１０６，Ｓ１０８の処理を終えたとき、あるいは、ステップＳ１０７において隣接する行に属するアイコン画像３へのタッチ操作がなされていない場合（ステップＳ１０７否定）、制御部４０は、処理をステップＳ１０９に移行する。
【００８９】
ステップＳ１０９において、制御部４０は、ソート方式が変更されたか否かを判定する。なお、ソート方式の変更は、ユーザによる操作部１２やタッチパネル１３への操作により行われる。かかる処理において、ソート方式が変更されていない場合（ステップＳ１０９否定）、制御部４０は、処理をステップＳ１０５へ移行する。
【００９０】
一方、ソート方式が変更されたと判定した場合（ステップＳ１０９肯定）、制御部４０は、初期化処理を行う（ステップＳ１１０）。すなわち、制御部４０は、ステップＳ１０２に示す一覧表示処理後の状態に戻す。具体的には、制御部４０は、初期化処理として、ステップＳ１０２に示す一覧表示処理と同様の処理を実行して、図１−２に示すような一覧表示画面をＬＣＤ１６に表示させる。
【００９１】
なお、本実施例において、制御部４０は、ユーザがタッチパネル１３から指を離した場合であっても、アイコン画像３が拡大表示された状態を維持する。これにより、ユーザは、拡大表示されたアイコン画像３を容易に閲覧することができる。すなわち、アイコン画像３の拡大表示が維持されることにより、ユーザは、アイコン画像３の閲覧中に、タッチパネル１３に指をタッチさせておく必要がなくなる。また、拡大表示されたアイコン画像３に指がかかって見づらくなるといったこともない。
【００９２】
ステップＳ１１０の処理を終えたとき、あるいは、ステップＳ１０３においてアイコン画像３へのタッチ操作がなされていないとき（ステップＳ１０３否定）、制御部４０は、終了操作がなされたか否かを判定する（ステップＳ１１１）。ここで、終了操作とは、画像ファイルの一覧表示を終了するためにユーザが操作部１２やタッチパネル１３を用いて行う操作であり、例えば、メイン画面に戻る操作や電源を切る操作などである。かかる処理において、終了操作がなされていない場合（ステップＳ１１１否定）、制御部４０は、処理をステップＳ１０３に移行する。一方、終了操作がなされたと判定した場合（ステップＳ１１１肯定）、制御部４０は、画像ファイルの一覧表示に関する処理手順を終了する。  
【００９３】
続いて、ステップＳ１０２における一覧表示処理について説明する。図１１は、一覧表示処理の処理手順を示すフローチャートである。
【００９４】
図１１に示すように、一覧表示処理を開始すると、画像表示制御部４０３は、先ず、設定情報記憶部３０１からソート情報を取得する（ステップＳ２０１）。続いて、画像表示制御部４０３は、画像レイアウト処理部４０４に対して、ソート情報を受け渡すとともに、一覧表示操作により選択されたフォルダ内に格納された画像ファイルの一覧表示を要求する（ステップＳ２０２）。
【００９５】
続いて、画像レイアウト処理部４０４は、画像ファイルの一覧表示要求を受けると、画像ファイル管理部４０５に対して、一覧表示の対象となるフォルダに含まれる画像ファイルの画像ファイル管理情報の取得を要求する（ステップＳ２０３）。続いて、画像ファイル管理部４０５は、画像レイアウト処理部４０４から画像ファイル管理情報の取得要求を受けると、一覧表示の対象となるフォルダに含まれる画像ファイルの画像ファイル管理情報を管理情報記憶部３０２から取得する（ステップＳ２０４）。そして、画像ファイル管理部４０５は、取得した画像ファイル管理情報を画像レイアウト処理部４０４に返却する（ステップＳ２０５）。
【００９６】
続いて、画像レイアウト処理部４０４は、画像ファイル管理部４０５から画像ファイル管理情報を受け取ると、該画像ファイル管理情報およびソート情報に基づき、レイアウト情報を生成する（ステップＳ２０６）。
【００９７】
具体的には、画像レイアウト処理部４０４は、フォルダに含まれる画像ファイルの数に応じて、各画像ファイルに対応するアイコン画像３が一覧表示領域１６２に全て表示されるように、アイコン画像３の配置場所および該配置場所のサイズを決定する。そして、画像レイアウト処理部４０４は、決定した各配置場所にどのアイコン画像３を配置させるかを、ソート情報に基づいて決定する。例えば、画像レイアウト処理部４０４は、画像ファイルがタイトル順に配置されるように、配置場所と画像ファイルパスとを対応付ける。また、画像レイアウト処理部４０４は、各行に含まれる画像ファイルのタイトルの最初の文字に基づき、該行に対応するインデックス画像４として表示すべき文字の内容を決定する。かかる処理により、レイアウト情報は生成される。
【００９８】
なお、画像レイアウト処理部４０４は、レイアウト情報を生成する場合、各アイコン画像３に対応する判定領域を設定する。具体的には、画像レイアウト処理部４０４は、各アイコン画像３の画像領域と同一の領域を該アイコン画像３に対応する判定領域として設定する。
【００９９】
続いて、画像レイアウト処理部４０４は、レイアウト情報を生成すると、画像描写部４０６に対して、生成したレイアウト情報を受け渡すとともに、一覧表示を要求する（ステップＳ２０７）。
【０１００】
続いて、画像描写部４０６は、画像レイアウト処理部４０４からレイアウト情報を取得すると、先ず、レイアウト情報に含まれる画像ファイルパスに基づいて、一覧表示の対象となる画像ファイルを画像ファイル記憶部３０３から読出す（ステップＳ２０８）。そして、画像描写部４０６は、読出した画像ファイルのデコードを行うとともに該画像ファイルに対応するアイコン画像３を生成する（ステップＳ２０９）。
【０１０１】
続いて、画像描写部４０６は、生成したアイコン画像３をレイアウト情報に基づく並び順で並べた一覧表示画像データを生成し、かかる一覧表示画像データをＬＣＤ出力部４０７に受け渡して、画像出力を要求する（ステップＳ２１０）。そして、ＬＣＤ出力部４０７は、画像描写部４０６から取得した一覧表示画像データに基づく一覧表示画像をＬＣＤ１６に出力する（ステップＳ２１１）。これにより、ＬＣＤ１６の一覧表示領域１６２には、例えば、図１−１や図１−２に示すような一覧表示画面が表示される。
【０１０２】
このように、制御部４０は、所定のフォルダ内に格納された複数の画像ファイルにそれぞれ対応するアイコン画像３を、該フォルダ内の画像ファイル数に応じたサイズで表示する一覧表示手段の一例として機能する。また、制御部４０は、管理情報記憶部３０２に記憶された画像ファイル管理情報に基づく並び順で、複数のアイコン画像３を二次元配列させるレイアウト処理手段の一例として機能する。さらに、制御部４０は、二次元配列の各行に対応する位置に、該行に含まれる複数の画像に対応するインデックスを表示するインデックス表示手段として機能する。
【０１０３】
続いて、ステップＳ１０４に示す拡大表示処理について説明する。図１２は、拡大表示処理の処理手順を示すフローチャートである。
【０１０４】
図１２に示すように、拡大表示処理を開始すると、タッチパネル入力検出部４０２は、先ず、タッチパネル１３からの信号に基づき特定したキー座標情報を画像表示制御部４０３に通知する（ステップＳ３０１）。続いて、画像表示制御部４０３は、画像レイアウト処理部４０４に対してキー座標情報を通知するとともに、アイコン画像の拡大表示を要求する（ステップＳ３０２）。
【０１０５】
続いて、画像レイアウト処理部４０４は、画像表示制御部４０３からキー座標情報を取得すると、該キー座標情報に基づき、レイアウト変更情報を生成する（ステップＳ３０３）。
【０１０６】
具体的には、画像レイアウト処理部４０４は、レイアウト情報に基づき、タッチ操作されたアイコン画像３が属する行および該行の周囲に位置する行に含まれる複数のアイコン画像３の配置場所および大きさを変更したレイアウト変更情報を生成する。例えば、一覧表示領域１６２においてＹ方向の上から５番目の行に含まれるアイコン画像３がタッチ操作されたとする。かかる場合、画像レイアウト処理部４０４は、５番目の行に含まれるアイコン画像３に対応する配置場所のサイズを１０倍に拡大するとともに、拡大した配置場所の新たな座標を決定する。
【０１０７】
また、画像レイアウト処理部４０４は、５番目の行の上下にそれぞれ位置する行（上から４番目および６番目の行）に含まれる複数のアイコン画像３に対応する配置場所のサイズを６倍に拡大する。同様に、画像レイアウト処理部４０４は、６倍に拡大した行の上下に位置する行（上から３番目および７番目の行）に含まれる複数のアイコン画像３に対応する配置場所のサイズを４倍に拡大する。
【０１０８】
そして、画像レイアウト処理部４０４は、拡大した各配置場所にどのアイコン画像３を表示させるかを決定する。かかる処理により、レイアウト変更情報が生成される。
【０１０９】
なお、画像レイアウト処理部４０４は、配置場所のサイズを変更すると、判定領域の再設定を行う。具体的には、画像レイアウト処理部４０４は、最も大きく拡大されたアイコン画像３に対応する判定領域を、一覧表示領域１６２のＹ方向において隣接する他のアイコン画像３の判定領域と重ならない範囲で設定する。また、画像レイアウト処理部４０４は、最も大きく拡大された配置場所５ａ〜５ｅのうち、一覧表示領域１６２の両端に位置する配置場所５ａ，５ｅに対応付けてそれぞれスライド操作領域６ａ，６ｂを設定する。
【０１１０】
続いて、画像レイアウト処理部４０４は、レイアウト変更情報を生成すると、画像描写部４０６に対して、生成したレイアウト情報を受け渡すとともに、拡大表示を要求する（ステップＳ３０４）。
【０１１１】
続いて、画像描写部４０６は、画像レイアウト処理部４０４からレイアウト変更情報を取得すると、先ず、レイアウト情報に含まれる画像ファイルパスに基づいて、一覧表示の対象となる画像ファイルを画像ファイル記憶部３０３から読出す（ステップＳ３０５）。そして、画像描写部４０６は、読出した画像ファイルのデコードを行うとともに該画像ファイルに対応するアイコン画像を生成する（ステップＳ３０６）。
【０１１２】
続いて、画像描写部４０６は、生成したアイコン画像をレイアウト情報に基づく並び順で並べた一覧表示画像データを生成し、かかる一覧表示画像データをＬＣＤ出力部４０７に受け渡して、画像出力を要求する（ステップＳ３０７）。そして、ＬＣＤ出力部４０７は、画像描写部４０６から取得した一覧表示画像データに基づく一覧表示画像をＬＣＤ１６に出力する（ステップＳ３０８）。これにより、ＬＣＤ１６の一覧表示領域１６２には、例えば、図２に示すように、ユーザによりポインティングされたアイコン画像３を含む行およびその周囲の行が拡大表示された一覧表示画面が表示される。
【０１１３】
このように、制御部は、ポインティングされた位置の座標に基づいて、該ポインティングされた位置を含む所定範囲内に位置する複数のアイコン画像３を拡大表示する拡大表示手段として機能する。
【０１１４】
上述してきたように、本実施例では、ポインティングされた位置の座標に基づいて、該ポインティングされた位置を含む所定範囲内に位置する複数のアイコン画像３を拡大表示するため、一画面内に表示する画像ファイルの数が大量となった場合でも、ユーザによるコンテンツの選択容易性を維持することができる。
【０１１５】
さらに、本実施例では、二次元配列の各行に対応する位置に、該行に含まれる複数の画像に対応するインデックス画像４を表示するとともに、ポインティングされた位置のＹ座標に基づき、複数のアイコン画像３を行単位で拡大表示する。これにより、ユーザは、先ず、インデックス画像４を手掛かりにして、目的とする画像ファイルが属する行を特定することができる。そして、ユーザは、特定した行の何れかのアイコン画像３をタッチ操作することで、特定した行全体が拡大表示されるため、特定した行に含まれる複数のアイコン画像３の中から、目的とする画像ファイルに対応するアイコン画像３を容易に見つけ出すことができる。したがって、本実施例によれば、ユーザによるコンテンツの選択容易性をより一層高めることができる。
【実施例２】
【０１１６】
上述した実施例１では、ポインティングされた座標のＹ座標に基づき、アイコン画像３を行単位で拡大表示することとしたが、これに限ったものではない。例えば、ポインティングされた座標に位置するアイコン画像３のみを最も大きく拡大してもよい。以下、かかる場合について説明する。図１３は、一覧表示画面において、ユーザがタッチした位置に対応するアイコン画像のみを最も大きく拡大する場合について説明するための図である。また、図１４は、ユーザがタッチパネルを斜め方向になぞった場合に、拡大表示されるアイコン画像が切り替わる様子を説明するための図である。
【０１１７】
図１３に示すように、本実施例にかかる携帯端末装置１は、ポインティングされた座標に位置するアイコン画像３のみを最も大きく拡大するとともに、その周囲のアイコン画像３を中間サイズに拡大する。例えば、ポインティングされた座標が、「画像２８」の判定領域に含まれる場合、携帯端末装置１は、「画像２８」のみを最も大きいサイズである１０倍のサイズに拡大する。さらに、携帯端末装置１は、「画像２８」の周囲に位置する８個のアイコン画像３（例えば、「画像１５」〜「画像１７」、「画像２７」、「画像２９」、「画像３９」〜「画像４１」）を６倍に拡大するとともに、６倍に拡大したアイコン画像のさらに周囲に位置する１２個のアイコン画像３を４倍に拡大する。そして、携帯端末装置１は、これら拡大したアイコン画像３をサイズの小さい順に重畳させて一覧表示領域１６２に表示する。これにより、一覧表示領域１６２には、図１３に示すように、アイコン画像３が、ポインティングされた座標に位置する「画像２８」を中心に隆起したような画像が表示される。
【０１１８】
また、ユーザがタッチパネル１３上をなぞると、ポインティングされた座標が変化するため、図１４に示すように、拡大表示されるアイコン画像３が切り替わる。なお、本実施例では、拡大表示されたアイコン画像３に対応する判定領域の再設定は行わない。すなわち、本実施例において、拡大表示されたアイコン画像３に対応する判定領域は、拡大表示される前のアイコン画像３に対応する判定領域と同一である。このように、判定領域の再設定を行わないことで、レイアウト変更情報の生成処理にかかる負荷を軽減することができる。
【０１１９】
次に、本実施例にかかる携帯端末装置１の具体的動作について説明する。図１５は、本実施例にかかる制御部４０の処理手順を示すフローチャートである。なお、図１５においては、制御部４０が実行する処理手順のうち、画像ファイルの一覧表示に関する処理手順のみを示す。
【０１２０】
図１５に示すように、操作制御部４０１またはタッチパネル入力検出部４０２が画像ファイルの一覧表示操作を操作部１２またはタッチパネル１３から取得すると（ステップＳ４０１）、制御部４０は、一覧表示処理を実行する（ステップＳ４０２）。具体的には、ステップＳ４０２では、実施例１にかかる一覧表示処理と同様の処理が行われる。
【０１２１】
一覧表示処理を終えると、画像レイアウト処理部４０４は、アイコン画像３へのタッチ操作がなされたか否かを判定する（ステップＳ４０３）。かかる処理において、アイコン画像３へのタッチ操作がなされたと判定した場合（ステップＳ４０３肯定）、制御部４０は、拡大表示処理を実行する（ステップＳ４０４）。
【０１２２】
具体的には、ステップＳ４０４では、実施例１にかかる拡大表示処理と同様の処理が行われる。ただし、本実施例において、画像レイアウト処理部４０４は、ポインティングされた座標に位置するアイコン画像３の配置場所のみを１０倍に拡大する。また、画像レイアウト処理部４０４は、１０倍に拡大したアイコン画像３の周囲に位置するアイコン画像３の配置場所を６倍に拡大し、さらにその周囲に位置するアイコン画像３の配置場所を４倍に拡大する。なお、本実施例において、画像レイアウト処理部４０４は、拡大したアイコン画像３に対応する判定領域の再設定およびスライド領域の設定は行わない。
【０１２３】
画像レイアウト処理部４０４は、他のアイコン画像３へのタッチ操作がなされたか否かを判定する（ステップＳ４０５）。具体的には、画像レイアウト処理部４０４は、画像表示制御部４０３から取得したキー座標情報に基づき、ポインティングされた座標が、他のアイコン画像３の判定領域に含まれるか否かを判定する。かかる処理において、他のアイコン画像３へのタッチ操作がなされたと判定した場合（ステップＳ４０５肯定）、制御部４０は、遷移処理を実行する（ステップＳ４０６）。
【０１２４】
遷移処理は、ステップＳ４０４に示す拡大表示処理と同様の処理である。すなわち、画像レイアウト処理部４０４が、画像表示制御部４０３から取得したキー座標情報に基づき、レイアウト変更情報を生成し、該レイアウト変更情報に基づき、画像描写部４０６が一覧表示データを生成する。そして、ＬＣＤ出力部４０７が、一覧表示データに基づく一覧表示画面をＬＣＤ１６に表示する。これにより、現在最も大きく拡大されているアイコン画像３の周囲に位置する他のアイコン画像３がタッチ操作された場合には、該タッチ操作されたアイコン画像３が最も大きく拡大され、その周囲に配置されたアイコン画像３が中間サイズに拡大される。
【０１２５】
ステップＳ４０６の処理を終えたとき、あるいは、ステップＳ４０５において他のアイコン画像３へのタッチ操作がなされていない場合（ステップＳ４０５否定）、制御部４０は、処理をステップＳ４０７に移行する。
【０１２６】
ステップＳ４０７において、制御部４０は、ソート方式が変更されたか否かを判定する。なお、ソート方式の変更は、ユーザによる操作部１２やタッチパネル１３への操作により行われる。かかる処理において、ソート方式が変更されていない場合（ステップＳ４０７否定）、制御部４０は、処理をステップＳ４０５へ移行する。
【０１２７】
一方、ソート方式が変更されたと判定した場合（ステップＳ４０７肯定）、制御部４０は、初期化処理を行う（ステップＳ４０８）。すなわち、制御部４０は、ステップＳ４０２に示す一覧表示処理後の状態に戻す。具体的には、制御部４０は、初期化処理として、ステップＳ４０２に示す一覧表示処理と同様の処理を実行して、図１−２に示すような一覧表示画面をＬＣＤ１６に表示させる。
【０１２８】
ステップＳ４０８の処理を終えたとき、あるいは、ステップＳ４０３においてアイコン画像３へのタッチ操作がなされていないとき（ステップＳ４０３否定）、制御部４０は、終了操作がなされたか否かを判定する（ステップＳ４０９）。かかる処理において、終了操作がなされていない場合（ステップＳ４０９否定）、制御部４０は、処理をステップＳ４０３に移行する。一方、終了操作がなされたと判定した場合（ステップＳ４０９肯定）、制御部４０は、画像ファイルの一覧表示に関する処理手順を終了する。
【０１２９】
上述してきように、本実施例にかかる携帯端末装置１は、ポインティングされた座標に位置するアイコン画像３のみを最も大きく拡大するとともに、その周囲のアイコン画像３を中間サイズに拡大する。これによっても、実施例１と同様に、一覧表示の対象となる画像ファイルの数が大量となった場合でも、ユーザによるコンテンツの選択容易性を維持することができる。
【０１３０】
なお、最も大きく拡大するアイコン画像３は、１つである必要はなく、ポインティングされた座標に位置するアイコン画像３および該アイコン画像３に隣接する複数のアイコン画像３を最も大きく拡大することとしてもよい。図１６は、一覧表示画面において、ユーザがタッチした位置およびその周囲に位置する複数のアイコン画像を最も大きく拡大する場合について説明するための図である。
【０１３１】
図１６に示すように、携帯端末装置１は、ポインティングされた座標に位置するアイコン画像３および該アイコン画像３に隣接する３個のアイコン画像３を最も大きく拡大するとともに、それらの周囲に位置する１２個のアイコン画像３を中間サイズに拡大する。例えば、ポインティングされた座標が、「画像２８」の判定領域に含まれる場合、携帯端末装置１は、「画像２８」および該アイコン画像３に隣接する「画像２９」、「画像４０」、「画像４１」を最も大きいサイズである１０倍のサイズに拡大する。さらに、携帯端末装置１は、「画像２８」、「画像２９」、「画像４０」、「画像４１」の周囲に位置する１２個のアイコン画像３（「画像１５」〜「画像１８」、「画像２７」、「画像３０」、「画像３９」、「画像４２」、「画像５１」〜「画像５４」）を６倍に拡大する。
【０１３２】
そして、携帯端末装置１は、これら拡大したアイコン画像３をサイズの小さい順に重畳させて一覧表示領域１６２に表示する。これにより、一覧表示領域１６２には、図１６に示すように、アイコン画像３が、「画像２８」、「画像２９」、「画像４０」、「画像４１」を頂点として隆起したような画像が表示される。また、ユーザがタッチパネル１３上をなぞると、ポインティングされた座標が変化するため、図１７に示すように、拡大表示されるアイコン画像３が切り替わる。
【０１３３】
ところで、実施例１における携帯端末装置１の機能をソフトウェアとして実装し、該ソフトウェアをコンピュータで実行することにより、携帯端末装置１と同等の機能を実現することもできる。以下に、携帯端末装置１の機能をソフトウェアとして実装した表示制御プログラムを実行するコンピュータの一例を示す。図１８は、表示制御プログラムを実行するコンピュータを示すブロック図である。
【０１３４】
図１８に示すように、コンピュータ６００は、各種演算処理を実行するＣＰＵ（Central Processing Unit）６１０と、ユーザからのデータの入力を受け付ける入力装置６２０と、各種情報を表示するモニタ６３０とを備える。また、コンピュータ６００は、記録媒体からプログラム等を読み取る媒体読み取り装置６４０と、ネットワークを介して他のコンピュータとの間でデータの授受を行うネットワークインタフェース装置６５０を備える。また、コンピュータ６００は、ハードディスク装置６６０と、各種情報を一時記憶するＲＡＭ（Random Access Memory）６７０とを備える。また、コンピュータ６００は、これらをバス６８０により相互に接続する。
【０１３５】
そして、ハードディスク装置６６０には、上記の実施例と同様の機能を発揮する表示制御プログラム、すなわち、拡大表示プログラム６６１が記憶される。そして、ＣＰＵ６１０が拡大表示プログラム６６１をハードディスク装置６６０から読み出してＲＡＭ６７０に展開することにより、拡大表示プログラム６６１は、拡大表示プロセス６７１として機能する。
【０１３６】
また、ハードディスク装置６６０は、設定情報記憶部６６２、管理情報記憶部６６３および画像ファイル記憶部６６４を有する。ＣＰＵ６１０は、これらの記憶部６６２〜６６４に記憶された情報を読み出して、ＲＡＭ６７０に格納し、拡大表示プロセス６７１が、ＲＡＭ６７０に格納されたデータを利用して各種処理を実行する。
【０１３７】
なお、拡大表示プログラム６６１は、必ずしもハードディスク装置６６０に格納されている必要はなく、ＣＤ−ＲＯＭ等の記憶媒体に記憶されたこのプログラムを、コンピュータ６００が読み出して実行するようにしてもよい。また、公衆回線、インターネット、ＬＡＮ（Local Area Network）等を介してコンピュータ６００に接続される他のコンピュータまたはサーバ等にこのプログラムを記憶させておき、コンピュータ６００がこれらからプログラムを読み出して実行するようにしてもよい。
【０１３８】
以上、本発明の実施の形態のいくつかを図面に基づいて詳細に説明したが、これらは例示であり、発明の概要の欄に記載の態様を始めとして、当業者の知識に基づいて種々の変形、改良を施した他の形態で本発明を実施することが可能である。
【０１３９】
例えば、上記実施例では、表示装置の一例として、携帯端末装置を用いて説明したが、これに限らず、表示装置は、例えば、ＰＣ等であってもよい。
【０１４０】
また、上記実施例では、コンテンツの一例として、静止画像ファイルを用いて説明したが、これに限らず、コンテンツは、動画像ファイルやゲーム、楽曲等であってもよい。
【０１４１】
また、実施例１では、ポインティングされた座標のＹ座標に基づき、アイコン画像３を行単位で拡大表示することとしたが、これに限ったものではなく、ポインティングされた座標のＸ座標に基づき、アイコン画像３を列単位で拡大表示してもよい。
【０１４２】
また、実施例１では、各アイコン画像３に対応する判定領域を設定することとしたが、必ずしも判定領域を設ける必要はなく、ポインティングされた座標から所定の範囲内に含まれるアイコン画像３を拡大表示するとしてもよい。これにより、画像レイアウト処理部４０４によるレイアウト情報およびレイアウト変更情報の生成にかかる負荷を軽減することができる。
【０１４３】
以上の各実施例を含む実施形態に関し、さらに以下の付記を開示する。
【０１４４】
（付記１）Ｘ方向及びＹ方向に二次元配列された複数の画像を表示する表示装置において、
ポインティングされた位置の座標に基づき、該ポインティングされた位置を含む所定範囲内に位置する画像を拡大表示する拡大表示手段を備えたことを特徴とする表示装置。
【０１４５】
（付記２）前記拡大表示手段は、前記ポインティングされた位置の座標のＸ座標またはＹ座標に基づいて、前記複数の画像を行単位あるいは列単位に拡大表示することを特徴とする付記１に記載の表示装置。
【０１４６】
（付記３）前記複数の画像の管理情報を記憶する管理情報記憶手段と、
前記管理情報記憶手段に記憶された管理情報に基づく並び順で、前記複数の画像を二次元配列させるレイアウト処理手段と、
前記二次元配列の各行または各列に対応する位置に、該行または列に含まれる複数の画像に対応するインデックスを表示するインデックス表示手段と
をさらに備えたことを特徴とする付記２に記載の表示装置。
【０１４７】
（付記４）前記拡大表示手段は、前記ポインティングされた位置の座標のＸ座標またはＹ座標に位置する複数の画像を所定のサイズに拡大するするとともに、該複数の画像に対してＸ方向またはＹ方向に隣接する複数の画像を前記所定のサイズを超えないサイズに拡大することを特徴とする付記２または３に記載の表示装置。
【０１４８】
（付記５）前記拡大表示手段は、拡大した画像をサイズの小さい順に重畳して表示することを特徴とする付記４に記載の表示装置。
【０１４９】
（付記６）所定のフォルダに格納された複数のコンテンツにそれぞれ対応する画像を、該フォルダ内のコンテンツ数に応じたサイズで表示する一覧表示手段をさらに備え、
前記一覧表示手段は、前記所定のフォルダ内のコンテンツ数が所定数以下である場合、各コンテンツに基づくサムネイル画像を表示する一方、前記所定のフォルダ内のコンテンツ数が前記所定数よりも多い場合には、各コンテンツに対応する枠画像を表示することを特徴とする付記１〜５の何れか１つに記載の表示装置。
【０１５０】
（付記７）Ｘ方向及びＹ方向に二次元配列された複数の画像を表示する表示部と、
前記表示部上に設けられたタッチパネルとをさらに備え、
前記拡大表示手段は、前記タッチパネルにおける押下箇所の座標を前記ポインティングされた座標として検出する
ことを特徴とする付記１〜６の何れか１つに記載の表示装置。
【０１５１】
（付記８）Ｘ方向及びＹ方向に二次元配列された複数の画像を表示する表示制御方法において、
ポインティングされた座標のＸ座標またはＹ座標に基づいて、該ポインティングされた座標の周囲に位置する前記画像を拡大表示する拡大表示ステップを含んだことを特徴とする表示制御方法。
【０１５２】
（付記９）Ｘ方向及びＹ方向に二次元配列された複数の画像を表示する表示制御プログラムにおいて、
ポインティングされた座標のＸ座標またはＹ座標に基づいて、該ポインティングされた座標の周囲に位置する前記画像を拡大表示する拡大表示手順をコンピュータに実行させることを特徴とする表示制御プログラム。
【符号の説明】
【０１５３】
１  携帯端末装置
３  アイコン画像
４  インデックス画像
１１  無線部
１２  操作部
１３  タッチパネル
１４  マイク
１５  スピーカ
１６  ＬＣＤ
１６１  装置情報表示領域
１６２  一覧表示領域
１６３  詳細情報表示領域
２０  入出力制御ＩＦ部
３０  記憶部
３０１  設定情報記憶部
３０２  管理情報記憶部
３０３  画像ファイル記憶部
４０  制御部
４０１  操作制御部
４０２  タッチパネル入力検出部
４０３  画像表示制御部
４０４  画像レイアウト処理部
４０５  画像ファイル管理部
４０６  画像描写部
４０７  ＬＣＤ出力部
【図１−１】
0005564848.tif 000002
【図１−２】
0005564848.tif 000003
【図２】
0005564848.tif 000004
【図３】
0005564848.tif 000005
【図４】
0005564848.tif 000006
【図５】
0005564848.tif 000007
【図６】
0005564848.tif 000008
【図７】
0005564848.tif 000009
【図８】
0005564848.tif 000010
【図９】
0005564848.tif 000011
【図１０】
0005564848.tif 000012
【図１１】
0005564848.tif 000013
【図１２】
0005564848.tif 000014
【図１３】
0005564848.tif 000015
【図１４】
0005564848.tif 000016
【図１５】
0005564848.tif 000017
【図１６】
0005564848.tif 000018
【図１７】
0005564848.tif 000019
【図１８】
0005564848.tif 000020